(57)【特許請求の範囲】
【請求項１】
信号を受信したとき、これを呼び出し音により携帯者に通知するようにした携帯通信端末機において、
音楽データベースを有するセンタに対して所望の音楽データの送信を指示する無線送信機能部と、
書き換え可能なメモリと、
受信した信号から得られるデータを判別する判別回路と
を有し、
上記メモリに音楽データを格納し、
上記信号を受信したとき、上記メモリからこのメモリに格納してある音楽データを読み出してオーディオ信号を形成するとともに、
このオーディオ信号をスピーカに供給して上記呼び出し音を出力し、
上記音楽データが送信されてきたことを上記判別回路が判別したとき、その送信されてきた音楽データを上記メモリに書き込む
ようにした携帯通信端末機。
【請求項２】
請求項１に記載の携帯通信端末機において、
上記メモリに書き込まれる音楽データが、上記携帯者がデータベースに電話機を通じて指定した曲の音楽データである
ようにした携帯通信端末機。
【請求項３】
請求項２に記載の携帯通信端末機において、
上記音楽データの上記メモリへの書き込みが正常に実行されたとき、これを上記携帯者に通知する
ようにした携帯通信端末機。
【発明の詳細な説明】
【０００１】
【発明の属する技術分野】
この発明は、ページャーなどのような携帯通信端末機に関する。
【０００２】
【従来の技術】
携帯通信端末機、例えばページャーにおいては、呼び出しがあると、これが音響や振動により携帯者に通知される。
【０００３】
そして、その呼び出し音は、初期のころは単なるビープ音であったが、最近ではページャーがパターンジェネレータを内蔵することにより、各種の音階パターンを出力できるように、あるいはメロディーＩＣにより音楽（曲）を出力できるようにされている。したがって、ページャーの携帯者は、呼び出しがあったとき、個々のページャーを識別することができる。
【０００４】
【発明が解決しようとする課題】
ところが、パターンジェネレータの場合には、単純な音階パターンしか用意できないので、表現力に乏しく、単調な呼び出し音になってしまう。また、その音階パターンの種類も多くは用意できない。したがって、本来の目的である個々のページャーを識別するという点で、その目的を果たしにくい。
【０００５】
その点、メロディーＩＣの場合には、ＲＯＭに書き込まれた音楽データにしたがって曲を演奏できるので、豊かな表現力の呼び出し音にすることができる。しかし、メロディーＩＣは、同一機種では、ＲＯＭが同一の音楽データとなるので、呼び出し音は、どの機種でも同じ曲になり、やはり呼び出し音ではページャーを識別しにくいことがある。
【０００６】
また、その呼び出し音に使用されている曲がスタンダードナンバーであれば、呼び出し音の陳腐化はないが、最新のヒット曲の場合には、半年程度で陳腐化してしまう。
【０００７】
この発明は、以上のような問題点を解決しようとするものである。
【０００８】
【課題を解決するための手段】
この発明においては、
信号を受信したとき、これを呼び出し音により携帯者に通知するようにした携帯通信端末機において、
音楽データベースを有するセンタに対して所望の音楽データの送信を指示する無線送信機能部と、
書き換え可能なメモリと、
受信した信号から得られるデータを判別する判別回路と
を有し、
上記メモリに音楽データを格納し、
上記信号を受信したとき、上記メモリからこのメモリに格納してある音楽データを読み出してオーディオ信号を形成するとともに、
このオーディオ信号をスピーカに供給して上記呼び出し音を出力し、
上記音楽データが送信されてきたことを上記判別回路が判別したとき、その送信されてきた音楽データを上記メモリに書き込む
ようにした携帯通信端末機
とするものである。
【０００９】
【発明の実施の形態】
図１は、この発明をページャーに適用した場合の一形態を示すもので、受信回路１１は、図示はしないが、スーパーヘテロダイン方式に構成され、アンテナ入力回路からＦＳＫ復調回路までを有する。そして、センタ（ページャーの基地局）からページャーの信号が送信されてくると、これが、受信回路１１により受信されて各種のデータが復調されて取り出され、この取り出されたデータがマイクロコンピュータ１２に供給される。
【００１０】
このマイクロコンピュータ１２は、ＣＰＵ２１、各種の処理ルーチンが書き込まれているＲＯＭ２２、ワークエリア用およびデータ格納用のＲＡＭ２３、各種のデータを記憶するためのメモリ２４、入出力用のポート３１〜３４を有し、これらメモリ２２〜２４およびポート３１〜３４はシステムバス２９を通じてＣＰＵ２１に接続されている。
【００１１】
この場合、ＲＯＭ２２には、処理ルーチンの一部として、例えば図２に示す書き換えルーチン１００が用意される。この書き換えルーチン１００の詳細については後述するが、これは、呼び出し音となる曲を書き換えるためのものである。さらに、メモリ２４は、EEPROMやフラッシュメモリなどのようにデータの消去および書き込みを電気的に行うことのできる不揮発性のメモリとされ、事業者および端末機に固有のデータ（識別コード）が格納されている。
【００１２】
また、ポート３１に受信回路１１からのデータが供給され、ポート３２に呼び出しを光により通知するためのＬＥＤ４１が接続され、ポート３３、３４に後述するメロディーＩＣ４２が接続されるとともに、このメロディーＩＣ４２に電磁式あるいは圧電式のスピーカ４３が接続されている。
【００１３】
さらに、マイクロコンピュータ１２は、ディスプレイコントローラ回路３５およびキーインターフェイス回路３６を有し、これらもバス２９に接続されている。そして、ディスプレイコントローラ回路３５には、メッセージなどを表示するための表示素子としてＬＣＤ４４が接続され、キーインターフェイス回路３６には、各種の操作キー（スイッチ）４５が接続されている。
【００１４】
そして、メロディーＩＣ４２は、音楽データが書き込み・読み出しされるメモリ５１と、形成回路５２と、ドライブ回路５３と、インターフェイス回路５４、５５とを有する。
【００１５】
この場合、メモリ５１は、メモリ２４と同様、EEPROMやフラッシュメモリなどのようにデータの消去および書き込みを電気的に行うことのできる不揮発性のメモリとされ、呼び出し音なる曲の音楽データがアクセスされる。また、形成回路５２は、メモリ５１から読み出された音楽データにしたがって呼び出し音として出力されるオーディオ信号を形成するものである。
【００１６】
そして、ＣＰＵ２１により、ポート３３およびインターフェイス回路５４を通じてメモリ５１の書き込み・読み出しが制御されるとともに、その書き込みアドレスおよび読み出しアドレスが制御される。また、メモリ５１に書き込まれる音楽データもポート３３およびインターフェイス回路５４を通じてメモリ５１に供給される。また、形成回路５２は、ＣＰＵ２１により、ポート３４およびインターフェイス回路５５が制御され、オーディオ信号が形成される。そして、この形成されたオーディオ信号がドライブ回路５３を通じてスピーカ４３に供給され、呼び出し音が出力される。
【００１７】
このような構成によれば、メモリ５１の音楽データを以下のような手順により書き換えることができる。なお、図３は、その書き換え時の概念図である。すなわち、
(1) ユーザは、電話機２１０からセンタ２２０に電話をかけ、センタ２２０からのガイダンスにしたがって、自分のユーザ識別コードおよび暗証番号を入力する。例えば、ユーザ識別コードとしてページャーの呼び出し番号、暗証番号として４桁の数字を、電話機２１０のダイヤルキーによりそれぞれ入力する。
【００１８】
(2) センタ２２０は、入力されたユーザ識別コードおよび暗証番号から対象となるユーザおよびページャーを特定する。これは、
・音楽データの書き換えが有料な場合には、その課金の対象を特定するため
・他人がかってに音楽データを書き換えられないようにするため
である。
【００１９】
(3) センタ２２０は、(2) 項の照合ができたら、電話機２１０に引き続きガイダンスを送出する。ユーザは、そのガイダンスにしたがって書き換える曲（目的の曲）と、書き換える曲の位置（ページャーに複数の曲があるとき、何番目の曲を書き換えるか）とを、電話機２１０のダイヤルキーにより指定する。
【００２０】
(4) センタ２２０は、データベース２２１から要求された曲の音楽データを取り出して送信装置２３０に送る。こうして、対象となっているページャー２４０に、エアインターフェイスのＯＴＡ機能を用いて音楽データの書き換えであることを示す識別符号と、書き換える曲の位置のデータと、書き換える音楽データとを送信する。この場合、ＯＴＡ情報が音楽データの書き換え情報であるか否かの識別は、（財）電波産業会で定めるＯＴＡのプロトコル仕様にしたがえばよい。
【００２１】
(5) ページャー２４０は上記のデータを受信し、エラーのないことを確認したら、メモリ５１の音楽データを書き換える。このとき、必要であれば、書き換えの正常終了をユーザーに通知する。また、受信データにエラーを検出したら、その旨をユーザーに通知し、メモリ５１の音楽データの書き換えは行わない。
以上が、ページャーの呼び出し音の音楽データを書き換えるときの手順である。
【００２２】
そして、ページャーにおける音楽データの書き換えは、ＣＰＵ２１および書き換えルーチン１００により、以下のように実行される。すなわち、センタからＦＳＫ信号によりデータが送信されてくると、その信号が受信回路１１により受信され、この受信信号から復調されたデータがいったんＲＡＭ２３に格納される。
【００２３】
そして、データの受信を終了すると、ＣＰＵ２１の処理がルーチン１００のステップ１０１からスタートし、次にステップ１０２において、受信回路１１から出力されたデータ中の識別コード（アドレス）と、メモリ２４に格納されている識別コードとが一致するかどうかをチェックすることにより、受信したデータが自分宛てであるかどうかが判別される。
【００２４】
そして、受信したデータが自分宛てのときには、処理はステップ１０２からステップ１０３に進み、このステップ１０３において、受信したデータがＯＴＡ機能のデータであるかどうか、例えば、ＦＬＥＸプロトコルのときであれば、保全メッセージであるかどうかが判別される。そして、ＯＴＡ機能のデータのときには、処理はステップ１０３からステップ１０４に進み、このステップ１０４において、受信したデータが音楽データの書き換えを要求しているかどうかが判別される。
【００２５】
この判別の結果、音楽データの書き換えのときには、処理はステップ１０４からステップ１０５に進み、このステップ１０５において、受信したデータにエラーがないかどうかが判別される。このエラーの判別は、例えばデータの受信プロトコルのエラー検出ロジック、例えばチェックサムのチェックにより行うことができる。
【００２６】
そして、エラーがないときには、処理はステップ１０５からステップ１０６に進み、このステップ１０６において、受信したデータ中の音楽データがメモリ５１に書き込まれ、すなわち、音楽データが書き換えられる。この場合、メモリ５１における音楽データの書き込みエリア（書き換え位置）は、受信したデータに含まれている書き換える曲の位置のデータにしたがうものであり、すなわち、上記(3) 項により指示した位置とされる。
【００２７】
そして、書き換えを終了すると、処理はステップ１０７に進み、このステップ１０７において、ディスプレイコントローラ回路３５に所定のデータが供給され、ＬＣＤ４４に曲の書き換えが正常に終了したことが表示される。また、メモリ５１から所定のデータが読み出されて形成回路５２に供給され、スピーカ４３から曲の書き換えの正常終了を示す例えばチャイム音が出力される。そして、その後、ステップ１０８によりこのルーチン１００を終了する。
【００２８】
なお、ステップ１０５において、受信したデータにエラーがあるときには、処理はステップ１０５からステップ１１１に進み、このステップ１１１において、ＬＣＤ４４に曲の書き換えに失敗したこが表示されるとともに、スピーカ４３から曲の書き換えの失敗を示す例えばブザー音が出力される。そして、その後、処理はステップ１１２に進み、受信したデータが破棄され、ステップ１０８によりこのルーチン１００を終了する。
【００２９】
また、ステップ１０３において、受信したデータがＯＴＡ機能のデータではないとき、およびステップ１０４において、受信したデータが書き換え用の音楽データではないときには、処理はステップ１０３あるいは１０４からステップ１２１に進み、受信したデータに対応した処理が実行される。
【００３０】
例えば、一般の呼び出しであれば、ＬＥＤ４１が点灯される。また、メモリ５１に対して、あらかじめ設定してある位置の音楽データの読み出しが指示されるとともに、形成回路５２に対して、メモリ５１からの音楽データからオーディオ信号を形成するように指示がされる。そして、こうして形成されたオーディオ信号がドライブ回路５３を通じてスピーカ４３に供給され、スピーカ４３からは呼び出し音が出力される。
【００３１】
さらに、ステップ１０２において、受信したデータが自分宛てのデータではないときには、処理はステップ１０２からステップ１１２に進み、その受信したデータが破棄されてルーチン１００を終了する。
【００３２】
こうして、このページャーによれば、呼び出し音の曲の音楽データを、不揮発性のメモリ５１に格納するとともに、その音楽データを書き換えることができるようにしているので、より多くの種類の曲を呼び出し音とすることができ、したがって、呼び出し音から個々のページャーを識別することができる。また、呼び出し音の曲が陳腐化したり、あきたりしても、その曲を更新することができる。
【００３３】
さらに、音楽データの書き換えをエアインターフェイスにより行うようにしているので、図３により説明したように、センタに電話をかけるだけで、いつでも簡単に音楽データを変更することができ、サービス店などにページャーを持ち込む必要がない。また、音楽データもセンタで一括して管理することができ、例えば最新のヒット曲なども用意することができる。
【００３４】
なお、上述においては、この発明をページャーに適用した場合であるが、ＰＨＳや携帯電話機などのように、エアインターフェイス回路を有するとともに、呼び出し音により携帯者を呼び出す携帯通信端末機であれば、この発明を適用することができる。
【００３５】
【発明の効果】
この発明によれば、より多くの種類の曲を呼び出し音とすることができ、呼び出し音から個々の端末機を識別することができる。また、呼び出し音の曲が陳腐化したり、あきたりしても、その呼び出し音を更新することができる。
【００３６】
さらに、電話をかけるだけで、いつでも簡単に呼び出し音を変更することができる。また、呼び出し音となる曲を一括して管理することができ、例えば最新のヒット曲なども用意することができる。
【図面の簡単な説明】
【図１】この発明の一形態を示す系統図である。
【図２】この発明の一形態を示すフローチャートである。
【図３】この発明を説明するための概念図である。
【符号の説明】
１１…受信回路、１２…マイクロコンピュータ、２１…ＣＰＵ、２２…ＲＯＭ、２４…メモリ（識別コード用）、３５…ディスプレイコントローラ回路、４１…ＬＥＤ、４２…メロディーＩＣ、４３…スピーカ、４４…ＬＣＤ、４５…操作キー、１００…書き換えルーチン
【図１】
0003804706.tif 000002
【図２】
0003804706.tif 000003
【図３】
0003804706.tif 000004